(57)【要約】  本発明は、少なくとも２枚のレチクル（２２）をレチクル保管部分（１４）に保管するよう適合された、囲われた内部（１２）を画定し、浄化ガスを囲われた内部（１２）に通して入れることができる入口ポート（１６）と、浄化ガスを囲われた内部（１２）から通して出すことができる出口ポート（１８）とを備える、レチクル容器であって、入口ポート（１６）とレチクル保管部分（１４）との間の囲われた内部（１２）に配置された、第１の拡散板（２４）を更に備え、第１の拡散板（２４）には、浄化ガスが流れることができる開口部（２５ａ、２５ｂ）が設けられ、第１の拡散板（２４）の中央セクションの開口部（２５ａ）には、第１の拡散板（２４）の周辺セクションの開口部（２５ｂ）よりも、大きい個々の開口面積が提供され、及び／又は、単位面積当たりで大きい合計開口面積を提供するレチクル容器に関する。
2019528486.tif 000002
【特許請求の範囲】
【請求項１】
レチクル保管部分（１４）内で、少なくとも２枚のレチクル（２２）を保管するよう適合された囲われた内部（１２）を画定し、浄化ガスを前記囲われた内部（１２）に通して入れることができる入口ポート（１６）と、前記浄化ガスを前記囲われた内部（１２）から通して出すことができる出口ポート（１８）とを備える、レチクル容器であって、前記入口ポート（１６）と前記レチクル保管部分（１４）との間であって、前記囲われた内部（１２）に配置された、第１の拡散板（２４）を更に備え、前記第１の拡散板（２４）には、前記浄化ガスが流れることができる開口部（２５ａ、２５ｂ）が設けられ、前記第１の拡散板（２４）の中央セクションの開口部（２５ａ）には、前記第１の拡散板（２４）の周辺セクションの開口部（２５ｂ）よりも、大きい個々の開口面積が提供され、及び／又は、単位面積当たりで大きい合計開口面積を提供するレチクル容器。
【請求項２】
前記レチクル保管部分（１４）と前記出口ポート（１８）との間に配置された、第２の拡散板（２６）が設けられる請求項１に記載のレチクル容器。
【請求項３】
前記第２の拡散板（２６）に、前記浄化ガスが流れ通ることができる開口部（２７ａ、２７ｂ）が設けられ、前記第２の拡散板（２６）の中央セクションにおける開口部（２７ａ）に、前記第２の拡散板（２６）の周辺セクションの開口部（２７ｂ）よりも、大きい個々の開口面積が提供され、及び／又は、単位面積当たりで大きい合計開口面積を提供する請求項２に記載のレチクル容器。
【請求項４】
前記レチクル保管部分（１４）が、少なくとも２枚のレチクルを保管するよう設けられ、それによって各レチクルが、前記第１の拡散板（２４）及び／又は前記第２の拡散板（２６）に対して実質的に垂直に延びる請求項１から３のいずれか１項に記載のレチクル容器。
【請求項５】
少なくとも一部が少なくとも一つの金属材料で作られ、前記金属材料が特にアルミニウム及び／又はステンレス鋼で構成される請求項１から４のいずれか１項に記載のレチクル容器。
【請求項６】
保持要素、特にスロット又は張り出し部を備え、前記スロット又は前記張り出し部の上又は間にレチクルを位置付けることができる請求項１から５のいずれか１項に記載のレチクル容器。
【請求項７】
前記保持要素に、ポリマー材料で作られた挿入物及び／又はライニングが設けられる請求項６に記載のレチクル容器。
【請求項８】
２、３、４、５、６、７、８、９、又は１０枚以上のレチクル（２２）を保管するよう適合される請求項１から７のいずれか１項に記載のレチクル容器。
【請求項９】
前記第１の拡散板（２４）の開口部（２５ａ、２５ｂ）及び／又は前記第２の拡散板（２６）の開口部（２７ａ、２７ｂ）に、少なくとも２つ、特に２、３、４、５又は６つの異なる個々の開口面積が提供され、前記開口面積が、前記第１及び／又は前記第２の拡散板の中央セクションにおける開口部の最大の個々の開口面積から、前記第１及び／又は前記第２の拡散板の前記周辺セクションの近傍における最小の開口面積まで減少する請求項１から８のいずれか１項に記載のレチクル容器。
【請求項１０】
最も外側の開口部の全てが、前記中央セクションの開口部よりも小さい個々の開口面積である請求項１から９のいずれか１項に記載のレチクル容器。
【請求項１１】
個々の前記開口部は、円形、及び／又は楕円形、及び／又は正方形、及び／又は三角形、及び／又は長方形、及び／又は卵形、及び／又は三日月形、及び／又はスリット形、及び／又は多角形の開口面積を備える請求項１から１０のいずれか１項に記載のレチクル容器。
【請求項１２】
レチクル容器の内部において、前記レチクル容器の入口ポートと、前記レチクル容器のレチクル保管部分との間、及び／又は、前記レチクル容器の前記レチクル保管部分と、前記レチクル容器の出口ポートとの間に使用されるよう適合された、拡散板であって、開口部が設けられ、前記拡散板の中央セクションの開口部に、前記拡散板の周辺セクションの開口部よりも、大きい個々の開口面積が提供され、及び／又は、単位面積当たりで大きい合計開口面積を提供する拡散板。
【請求項１３】
請求項１から１１のいずれか１項に記載のレチクル容器に使用されるよう適合される拡散板。
【発明の詳細な説明】
【技術分野】
【０００１】
本発明は、レチクル容器、及びレチクル容器の内部に使用するよう適合される拡散板に関する。
【背景技術】
【０００２】
半導体技術において、レチクル又はフォトマスクは、集積回路デバイスの大量生産に用いられる。レチクルは、光が規定のパターンで透過できる穴又は透明部を有する、不透明板である。
【０００３】
例えばレチクルに付着した塵粒又は有機物質など、任意のタイプの汚染物が、投射パターンの品質の劣化を生じさせ得ることが、よく知られている。したがって、レチクルを完全に清潔な環境に保管し、取り扱うことが、非常に重要である。
【０００４】
レチクルを所謂容器ストッカに保管することが知られており、容器ストッカは数千までの個々のレチクルを保管することができる。このようなストッカ内のレチクルは、例えば指定されたレチクル容器に保管され、このレチクル容器はいくつかのレチクル、例えば１、２、４、６、８、又は１０枚のレチクルを保持するよう設計される。
【０００５】
米国特許第８，４０３，１４３（Ｂ２）号による、レチクルを保管する容器が知られている。この容器は、１枚のレチクルを保管するために設計されている。容器内に存在し得る汚染粒子の数を低減させるため、この書類には二つの方法が開示されている。すなわち、浄化ヘッドによって洗浄ガスでレチクル容器を満たすこと、及び代替えとして、真空ポンプによって容器内のガスを排気することである。
【０００６】
浄化することは、有利には、洗浄ガスの一定の流れを容器に通すことを含み、ガスは容器の入口ポートによって入り、容器の出口ポートによって出る。
【０００７】
通常の浄化ガスは、例えば非常に清潔な乾燥空気又は窒素である。このようなガスを提供することはコストの要因であり、その結果として、レチクル容器に流れ通すガスの量を低減させること、同時にガスの量が効果的な浄化のために十分であることは有利である。
【０００８】
この態様は、多数のレチクルを保管するために適合されたレチクル容器の場合に、より重要となる。従来技術の浄化ガスの入口及び出口において、容器を流れ通る浄化ガスの顕著な乱流が発生して、より高い浄化ガスのスループットが必要となる。
【発明の概要】
【発明が解決しようとする課題】
【０００９】
本発明は、中に保管されたレチクルを浄化洗浄するよう適合されたレチクル容器を提供し、それによって浄化ガスのスループットを最小に抑えることを目的とする。
【課題を解決するための手段】
【００１０】
本発明の目的は、請求項１の特徴を備えるレチクル容器と、請求項１２の特徴を備える拡散板とによって、実現される。本発明によるレチクル容器の有利な実施形態は、従属請求項の主題である。
【００１１】
本発明によるレチクル容器は、より均一で乱流の少ない浄化ガスの流れを、複数のレチクルが保管された囲われた内部に通すことを保証する。特にこれは、入口ポートと、レチクルが保管されたレチクル内部の部分との間に配置される、拡散板の設計によって実現される。周辺セクションと比べて大きい個々の開口面積を有する、中央セクションの開口部を有する拡散板を設けること、及び／又は、このように中央セクションの開口部が、単位面積当たりで周辺領域の開口部よりも大きい合計開口面積を提供することによって、例えば拡散板面積の全体にわたって均一の開口サイズで設計された従来の拡散板と比べて、実質的により均一な流れを実現する。本発明によるこの拡散板の設計は、容器内の乱流も大幅に軽減させる。
【００１２】
有利には、個々の開口部の開口面積が、拡散板の中央セクションから少なくとも１つの周辺セクションに向けて、累進的に小さくなる。代替えとして、又は加えて、単位面積当たりの合計開口面積は、単位面積当たりの開口部の数を減少させることによって、拡散板の中央セクションから少なくとも１つの周辺セクションに向けて、累進的に小さくすることができる。例えば、中央セクションにおいて、好適に規定した単位面積当たりに四つの開口部が設けられ、周辺セクションにおいて、単位面積当たり三つ、二つ、又は一つの開口部が設けられてもよい。中央セクションから周辺セクションに向けて、個々の開口面積を減少させること、及び単位面積当たりの合計開口面積を減少させることを、組み合わせてもよい。例えば、中央領域において、第１の個々の開口面積で、単位面積当たり四つの開口部が設けられ、周辺セクションにおいて、第２の個々の開口面積で、三つ、二つ、又は一つの開口部が設けられてもよい。第２の個々の開口面積は、第１の個々の開口面積よりも小さい。
【００１３】
レチクル容器の有利な実施形態によると、レチクル保管部分とレチクル容器の出口ポートとの間に配置される、第２の拡散板が設けられる。レチクル容器の外側に、このような第２の拡散板を設けることによって、流れの均一性を更に促進して、乱流を軽減させる。有利には、両方の拡散板が平行に延びる。
【００１４】
有利には、第２の拡散板が、実質的に第１の拡散板のように設計されること、すなわち、周辺セクションの開口部よりも大きい個々の開口面積が提供された、中央セクションの開口部を備える。単位面積当たりの開口部の数も、上述のように変更され得る。特に、互いに整列されたそれぞれの開口部の位置付け、及び開口面積又はサイズについて、同じ方法で両方の拡散板を設計することによって、浄化ガスの流れの均一性を更に促進して、同様に乱流を軽減させることができる。代替えとして、第１の拡散板とは異なる設計の、第２の拡散板を設けることが可能である。例えば、少なくとも一つのセクションにおいて第１の拡散板と比べて第２の拡散板は、個々の開口部の異なる配置を備えることができ、及び／又は、個々の開口部は異なる個々の開口面積、及び／又は、異なる単位面積当たりの合計開口面積を備える。
【００１５】
有利には、レチクル保管部分が、各レチクルが第１の拡散板及び／又は第２の拡散板に対して実質的に垂直に延びるよう、レチクルを保管するために設けられる。拡散板に対する、保管したレチクルのこの直交する配置は、保管した各レチクルに沿った、浄化ガスの均一且つ滑らかな流れを保証する。特に、その均一な流れは、最小量の浄化ガスで、最適な浄化効果を確保するのに十分であることを保証する。
【００１６】
本発明の好ましい実施形態によると、レチクル容器は、少なくとも一部が少なくとも一つの金属材料で作られる。この材料の選択によって、レチクル容器の材料の中に溶解、貯留、又は吸収されたガスの解放（ガス放出）を最小限に抑えることができる。従来技術のレチクル容器において、製作に使用された主材料はプラスチック材料であり、その中におけるガス放出の影響は大きく、より顕著である。好ましい金属材料は、アルミニウム及び／又はステンレス鋼である。有利には、レチクル容器の本体部材及び蓋が、アルミニウムで作られ、その一方で拡散板がステンレス鋼で作られる。
【００１７】
便宜上、本発明によるレチクル容器は、保持要素、特にスロット又は張り出し部を備え、それらの上又は間に、レチクルを位置付けることができる。このような保持要素を適切な数だけ設けることによって、レチクル容器を、所望の数のレチクルを保管するために、具体的に適合させることができる。
【００１８】
有利には、保持要素には、例えば熱可撓性材料又はそれらの合成物などの、ポリマー材料で作られた、挿入物及び／又はライニングが提供される。挿入物及び／又はライニングは、全体としてレチクル容器に比べて小さい容量及び／又は表面積を有するので、このような挿入物及び／又はライニングによるガス放出の影響は、軽減される。好適なポリマー材料として、限定ではないが、ポリベンゾイミダゾール（ＰＢＩ）、ポリイミド（ＰＩ）、ポリアミドイミド（ＰＡＩ）、ポリテトラフルオロエチレン（ＰＴＦＥ）、ポリクロロテトラフルオロエチレン（ＰＣＴＦＥ）、ポリエーテルエーテルケトン（ＰＥＥＫ）、ポリエチレンテレフタレート（ＰＥＴ−Ｐ）、ポリカーボネート（ＰＣ）、アセタール、及びそれらの合成物（例えばガラス及び／又はカーボン繊維合成物）、並びにそれらの組み合わせが挙げられる。いくつかの実施形態において、ポリマー材料は、他のポリマー材料に比べてガス放出の影響が比較的低いものが選択される。
【００１９】
本発明によるレチクル容器は、複数のレチクルを清潔な環境で効率的に保管するよう有利に適合され、特に２、３、４、５、６、７、８、９、又は１０枚以上のレチクルを保管することができる。
【００２０】
好ましい実施形態によると、第１の拡散板の開口部及び／又は第２の拡散板の開口部には、少なくとも二つ、特に２、３、４、５又は６つの異なる個々の開口面積が提供される。開口面積は、第１及び／又は第２の拡散板の中央セクションにおける最大の個々の開口面積から、第１及び／又は第２の拡散板の周辺セクション又は縁部の近傍における最小の個々の開口面積まで減少する。これは具体的に、第１及び／又は第２の拡散板の周辺セクション又は縁部セクション、すなわち最も端の開口部に、最小の開口面積が提供され、開口部の開口面積が、第１及び／又は第２の拡散板の中央に向かって大きくなることを意味する。例えば、中央セクションの開口部には、各々が約１５ｍｍ２よりも大きい第１の開口面積が提供されてよく、第１及び／又は第２の拡散板の縁部の近傍の開口部、すなわち周辺セクションには、各々が約１５ｍｍ２未満の第２の開口面積が提供されてもよい。いくつかの実施形態において、中間セクションの開口部、すなわち第１及び／又は第２の拡散板の中央セクションと周辺セクションとの間には、第１の開口面積と第２の開口面積との中間の面積である、第３の開口面積が提供されてよい。例えばいくつかの実施形態において、第１の開口面積は各々約１９〜２２ｍｍ２、第２の開口面積は各々約１１〜１４ｍｍ２、及び第３の開口面積は各々約１５〜１８ｍｍ２である。いくつかの実施形態において、中央セクションの合計開口面積は、約４５０ｍｍ２よりも大きく、周辺セクションの合計開口面積は、約４５０ｍｍ２未満である。例えば、中央セクションの合計開口面積は約５００〜６００ｍｍ２、中間セクションの合計開口面積は約４００〜５００ｍｍ２、及び周辺セクションの合計開口面積は３００〜４００ｍｍ２であってもよい。
【００２１】
好ましい実施形態によると、第１及び／又は第２の拡散板の最も外側の開口部の全ては、個々の開口面積が中央セクションの開口部よりも小さい。
【００２２】
便宜的に、個々の開口部は、円形、及び／又は楕円形、及び／又は正方形、及び／又は三角形、及び／又は長方形、及び／又は卵形、及び／又は三日月形、及び／又はスリット形、及び／又は多角形の開口面積を備える。
【００２３】
次に、本発明の好ましい実施形態を、添付の図面を参照して更に詳細に説明する。
【図面の簡単な説明】
【００２４】
【図１】本発明によるレチクル容器の第１の実施形態における、概略の簡易側面図である。
【図２】本発明による拡散板の好ましい実施形態における、平面図である。
【図３】本発明によるレチクル容器の本体部材の好ましい実施形態における、斜視図である。
【図４】本発明によるレチクル容器の蓋の好ましい実施形態の図であり、図３による本体と共にレチクル容器を形成する。
【図５ａ】本発明による拡散板の別の様々な好ましい実施形態における、平面図である。
【図５ｂ】本発明による拡散板の別の様々な好ましい実施形態における、平面図である。
【図５ｃ】本発明による拡散板の別の様々な好ましい実施形態における、平面図である。
【図５ｄ】本発明による拡散板の別の様々な好ましい実施形態における、平面図である。
【図５ｅ】本発明による拡散板の別の様々な好ましい実施形態における、平面図である。
【図５ｆ】本発明による拡散板の別の様々な好ましい実施形態における、平面図である。
【図５ｇ】本発明による拡散板の別の様々な好ましい実施形態における、平面図である。
【図５ｈ】本発明による拡散板の別の様々な好ましい実施形態における、平面図である。
【図５ｉ】本発明による拡散板の別の様々な好ましい実施形態における、平面図である。
【発明を実施するための形態】
【００２５】
図１は、概略で簡易的に、本発明によるレチクル容器の好ましい実施形態を示し、全体的に１０で表わす。
【００２６】
レチクル容器は閉じられた内部１２を画定し、レチクル保管部分１４を備え、その中に複数のレチクル２２を保管することができる。レチクルと容器との実際の相互作用は、図１には示されない。特に、個々のレチクルを支えるための保持要素は示されない。
【００２７】
レチクル容器は入口ポート１６を備え、入口ポート１６を通して、浄化ガス（矢印１６’で表示）がレチクル容器の囲われた内部１２に入ることができる。レチクル容器は出口ポート１８を更に備え、出口ポート１８を通して、浄化ガスが囲われた内部１２から出ることができ、矢印１８’によって表示される。
【００２８】
均一且つ実質的に乱流のない浄化ガスの流れを、確実にレチクル保管部分１４の全容積に通すために、第１の拡散板１２が、入口ポート１６とレチクル保管部分１４との間に配置される。第１の拡散板２４は、複数の開口部２５を備え、それらを通して、浄化ガスがレチクル保管部分１４に入ることができる。図１に概略で表示したように、且つ図２で特に判るように、第１の拡散板２４の中央セクションの開口部２５ａは、より大きい、すなわち周辺セクションの開口部２５ｂよりも、大きい開口面積又は径が提供される。
【００２９】
レチクル保管部分１４と出口ポート１８との間には、第２の拡散板２６が設けられる。第２の拡散板２６にも開口部２７ａ及び２７ｂが設けられる。
【００３０】
有利には、開口部２７ａ及び２７ｂのパターンは、第１の拡散板２４に対応する。すなわち、中央セクションの開口部２７ａは、周辺セクションの開口部２７ｂよりも大きい開口面積を有する。
【００３１】
図１で更に判るように、レチクル保管部分１４に保管されたレチクル２２は、第１及び第２の拡散板２４、２６に対して直交して配置される。この配置によって、レチクル容器を入口ポート１６から出口ポート１８へ流れ通る浄化ガスが、確実に均一に流れ、それによって全てのレチクル２２は実質的に均等に浄化ガスに曝されるので、最適に浄化される。この均一な流れは、特に開口部２５ａ、２５ｂ、２７ａ、２７ｂのパターンによって促進され、このパターンによって、より周辺に配置されたレチクル（例えば図１に表示されたレチクル２２ｂ）に沿った浄化ガスの流れを、より中央のレチクル（例えば図１に表示されたレチクル２２ａ）に沿った浄化ガスの流れに、確実に対応させる。
【００３２】
通常、レチクル容器は、個々のレチクルを支えるための保持要素が設けられた本体部材と、本体部材によって画定された容積を閉じるよう適合された蓋と、を備える。このような本体部材及び蓋の好ましい実施形態を、図３及び図４にそれぞれ示す。図１及び図２を参照してすでに説明した、同一又は類似の構成要素は、図３及び図４で同じ参照番号を有することに留意されたい。
【００３３】
図３は、本体部材１０ａを示す。本体部材１０ａは、本体部材１０ａの対向する両内壁に、複数の保持要素１１を備える。保持要素は、個々のレチクルを支えるよう適合される。これを例示するために、図３に一つのレチクル２２を示す。このレチクル２２は、両端が対応する保持要素１１上に静止している。直接的に示されるように、保持要素１１はレチクル２２を水平に保管するよう適合される。図３の実施形態による保持要素１１は、張り出し部として提供される。
【００３４】
本体要素１０ａは、例えばアルミニウム又はステンレス鋼などの金属材料で製作される。
【００３５】
本体部材１０ａ又はレチクル容器と、その中に保管されたレチクル２２との間の静電気の影響を防ぐために、各保持要素１１には、ポリマー材料で作られた挿入物１３が設けられる。したがって、レチクル容器１０内の保持要素１１上に保管されたレチクルは、これらの保持要素とは直接接触せず、挿入物１３によって保持要素から絶縁されることになる。挿入物１３は、本体部材１０ａの内側壁にも設けることができる。この電気絶縁は更に、レチクルがレチクル容器内の塵粒などの汚染物を引き付ける傾向を軽減させる。挿入物１３は、レチクルの引っかき傷を防止するのにも役立つ。
【００３６】
図３で判るように、本体部材１０ａの背面側には、図１の実施形態と類似の、拡散板２６及び出口ポート（図３では不可視）が設けられる。拡散板２６の中央セクションにおける開口部２７ａａには、周辺セクションの開口部２７ｂよりも大きい開口面積が提供される。
【００３７】
容器ストッカ内での取り扱いを容易にするため、本体部材１０ａには支持部１０ｂが設けられる。
【００３８】
図４に示すような蓋１０ｃは、本体部材１０ａと相互作用するよう、すなわち本体部材１０ａによって画定された容量を堅く閉じて、レチクル容器１０の囲われた内部を提供するよう適合される。
【００３９】
蓋１０ｃには、係止機構１７が設けられる。係止機構１７は、本体部材１０ａの外側壁に設けられた溝１９と相互作用するよう適合される（図３参照）。蓋の内縁部４１及び／又は本体部材１０ａの開口部の縁部３１には封止部材が設けられ、係止機構１７と溝１９との相互作用により、蓋と本体部材との間でガスを通さない接続が実現される。
【００４０】
蓋には拡散板２４が設けられる。蓋１０ｃに更に設けられた入口ポート１６は、図４では不可視である。
【００４１】
拡散板２４の中央セクションにおける開口部２５ａには、上記の説明のように、周辺又は縁部セクションの開口部２５ｂよりも大きい開口面積が提供される。特に、拡散板の少なくともいくつかの縁部の近傍における開口部には、最小の開口面積が提供される。いくつかの実施形態において、拡散板の上縁部及び／又は底縁部のみに、最小の開口面積が提供される。他の実施形態において、拡散板の全ての縁部に、最小の開口面積が提供される。
【００４２】
蓋１０ｃは、例えばアルミニウム及び／又はステンレス鋼などの金属材料で製作される。
【００４３】
拡散板２４、２６は、ステンレス鋼で作られるのが好ましい。しかし、アルミニウムもまた使用され得る。
【００４４】
図３を参照して説明したように、示されたレチクル容器は、レチクルを水平に保管するよう適合される。
【００４５】
有利には、レチクルは、拡散板に対して直交して保管される。レチクル容器内で垂直に保管することも、可能である。この場合、安全な位置付け及び取り扱いを確保するために、保持要素が溝として有利に提供される。
【００４６】
本体要素１０ａ及び蓋１０ｃを備えるレチクル容器１０は、レチクル・ストッカ内にレチクルを保管するよう適合される。レチクルを挿入又は抜き出すために、蓋１０ｃは本体部材から取り外される。
【００４７】
レチクル・ストッカ内の通常の保管状態では、入口ポート１６は、加圧した浄化ガス源に接続される。上述の方法でレチクル容器に流れ通した後、浄化ガスはレチクル・ストッカの中に放出され、そこから真空デバイスによってレチクル・ストッカから吸い出される。
【００４８】
図５において、本発明による拡散板の好ましい実施形態の別の設計を示す。図５に示す拡散板は、上記で記述したように、第１及び／又は第２のいずれかの拡散板として使用できる。これらの拡散板設計のうちで異なるものを、第１及び第２の拡散板として、それぞれ利用することも可能である。図５ａによる設計は、中央セクションに実質的に正方形の開口部５０、及び周辺セクションにスリット形の開口部５２を備える。この実施形態において、正方形の開口部５０は、単位面積当たりでスリット形の開口部５２よりも大きい合計開口面積を提供する。便宜上の単位面積サイズは、例えば図５ａでは８０で表わされる。このような単位面積は、図５の別の実施形態には示されない。
【００４９】
図５ｂの実施形態によると、三角形の開口部５４が設けられる。これらの三角形の開口部５４の底部は、拡散板の中央セクションに位置され、先端部は、上部及び底部の周辺セクションに向けられる。また、中央セクションを上部及び底部の周辺セクションと比較すると、単位面積当たりの合計開口面積は、中央セクションの方が大きい。
【００５０】
図５ｃの実施形態によると、より大きい正方形の開口部５６が拡散板の中央セクションに設けられ、より小さい正方形の開口部５８が周辺セクションに設けられる。また、単位面積当たりの合計開口面積は、中央セクションの方が大きい。
【００５１】
図５ｄの実施形態によると、いくつかの長方形又は矩形の開口部５８が設けられる。中央セクションの開口部は、左右の周辺セクションの開口部よりも大きく、したがって開口面積は、中央セクションからこれら周辺セクションに向かって減少する。
【００５２】
図５ｅによる拡散板の実施形態は、図５ｃの実施形態との類似点を有する。しかし、ここで全ての正方形の開口部６０は、同じ開口面積を有する。しかし、開口部の密度は、周辺セクションよりも中央セクションの方が高い。したがって、中央セクションは、周辺セクションと比べて単位面積当たりで大きい合計開口面積を有する。
【００５３】
図５ｆの実施形態によると、長方形又は矩形の開口部６２が設けられ、その開口面積は、拡散板の左右の周辺セクションに向かって減少する。
【００５４】
図５ｇの実施形態によると、いくつかの楕円形の開口部６４が設けられる。中央セクションの楕円形の開口部６４は、左右の周辺セクションの開口部と比べて、大きい開口面積を有する。
【００５５】
図５ｈの実施形態によると、いくつかの三角形の開口部６６、６８が設けられる。ここで再び図５ｂに類似して、三角形の開口部の底部が中央セクションに位置され、開口部の先端部が拡散板の周辺セクションに位置される。したがって、単位面積当たりの合計開口面積は、周辺セクションよりも中央セクションの方が大きい。
【００５６】
図５ｉの実施形態によると、いくつかの矩形又は長方形の開口部７０が設けられ、その開口面積は、中央セクションから左右並びに上部及び底部の周辺セクションに向かって減少する。
【００５７】
理解されるように、且つ上記で部分的に詳述したように、これら全ての拡散板の設計には、周辺セクションに比べて中央セクションの方が、大きい個々の開口面積を有する開口部が設けられ、及び／又は、単位面積当たりで大きい合計開口面積を提供する。
【符号の説明】
【００５８】
１０  レチクル容器
１１  保持要素
１２  内部
１３  挿入物
１４  レチクル保管部分
１６  入口ポート
１７  係止機構
１８  出口ポート
１９  溝
２２  レチクル
２４  第１の拡散板
２５  開口部
２６  第２の拡散板
【図１】
2019528486.tif 000003
【図２】
2019528486.tif 000004
【図３】
2019528486.tif 000005
【図４】
2019528486.tif 000006
【図５ａ】
2019528486.tif 000007
【図５ｂ】
2019528486.tif 000008
【図５ｃ】
2019528486.tif 000009
【図５ｄ】
2019528486.tif 000010
【図５ｅ】
2019528486.tif 000011
【図５ｆ】
2019528486.tif 000012
【図５ｇ】
2019528486.tif 000013
【図５ｈ】
2019528486.tif 000014
【図５ｉ】
2019528486.tif 000015
【国際調査報告】
2019528486.tif 000016
2019528486.tif 000017